(57)【要約】【課題】  視聴者の各々が定める期限の残存時間を、正確にテレビの画面に表示すると共に、ザッピングの防止手段を提供すること。【解決手段】  放送局から、ＴＯＴと、受信機側で、ユーザの所定の期限までの残存時間を計算しこれを表示する時間管理プログラムとを放送する。時間管理プログラムは、受信機の記憶装置のうち、データ放送のチャンネルが変更されると、記憶されているデータが消去される記憶装置又は記憶領域に格納され、ユーザにより入力された所定の期限はデータ放送のチャンネルが変更されても、記憶されているデータが消去されない記憶装置又は記憶領域に格納される。そして、時間管理プログラムに基づいて、ユーザにより入力された所定の期限を記憶し、この所定の期限と放送されてくる時間情報とを比較し、残存時間を計算し、これを表示する。【選択図】  図１
2005253040.tif 000002
【特許請求の範囲】
【請求項１】
データ放送を用いた時間管理システムであって、
現在の日時に関する時間情報と、受信機側で記憶されている所定の期限の残存時間を計算し、これを表示する時間管理プログラムとを、データ放送を用いて送出する手段を有する放送局と、
前記時間情報と、前記時間管理プログラムとを受信する受信手段と、所定の期限が記憶された記憶部と、前記時間管理プログラムに基づいて、前記時間情報と前記所定の期限とを比較し、残存時間を計算し、これを表示する時間管理手段とを有する受信機と
を有することを特徴とするデータ放送の時間管理システム。
【請求項２】
データ放送を用いた時間管理システムであって、
現在の日時に関する時間情報を、データ放送を用いて送出する手段を有する放送局と、
前記時間情報を受信する受信手段と、所定の期限が記憶された記憶部と、前記時間情報と前記所定の期限とを比較し、残存時間を計算し、これを表示する時間管理手段とを有する受信機と
を有することを特徴とするデータ放送の時間管理システム。
【請求項３】
データ放送を用いた時間管理システムであって、
現在の日時に関する時間情報と、ユーザの所定の期限までの残存時間を計算し、これを表示する時間管理プログラムとを、データ放送を用いて送出する手段
を有する放送局と、
前記時間情報と、前記時間管理プログラムとを受信する受信手段と、
データ放送のチャンネルが変更されると、記憶されているデータが消去される第１の記憶手段と、
データ放送のチャンネルが変更されても、記憶されているデータが消去されない第２の記憶手段と、
前記時間管理プログラムを、前記第１の記憶手段に格納する手段と、
入力された所定の期限の情報を、前記第２の記憶手段に格納する手段と、
前記時間管理プログラムに基づいて、前記時間情報と前記所定の期限とを比較し、残存時間を計算し、これを表示する時間管理手段と
を有する受信機と
を有することを特徴とするデータ放送の時間管理システム。
【請求項４】
時間情報が、少なくとも、ＴＯＴ(Time Offset Table)又はＴＤＴ(Time Date Table)のいずれかであることを特徴とする請求項１から請求項３のいずれかに記載のデータ放送の時間管理システム。
【請求項５】
ユーザ毎に所定の期限が記憶されるように構成することを特徴とする請求項１から請求項４のいずれかに記載のデータ放送の時間管理システム。
【請求項６】
前記放送局は、時刻表データを放送する手段と、
前記受信機は、前記放送局から時刻表データを受信する受信部と、受信した時刻表データより、ユーザが要求する期限の情報を選択し、この期限の情報を第２の記憶手段に格納する手段とを有することを特徴とする請求項１から請求項５のいずれかに記載のデータ放送の時間管理システム。
【請求項７】
時刻表データが格納されたサーバを有し、
前記受信機は、前記サーバから時刻表データを受信する受信部と、受信した時刻表データより、ユーザが要求する期限の情報を選択し、この期限の情報を記憶手段に格納する手段とを有することを特徴とする請求項１から請求項６のいずれかに記載のデータ放送の時間管理システム。
【請求項８】
受信機側で時間管理を行う為の情報を、データ放送を用いて放送する放送局であって、
現在の日時に関する時間情報と、受信機側で記憶されている所定の期限の残存時間を計算し、これを表示する時間管理プログラムとをデータ放送を用いて送出する手段を有することを特徴とする放送局。
【請求項９】
受信機側で時間管理を行う為の情報を、データ放送を用いて放送する放送局であって、
現在の日時に関する時間情報と、
データ放送のチャンネルが変更されると、記憶されているデータが消去される受信機の領域に格納され、ユーザの所定の期限までの残存時間を計算し、これを表示する時間管理プログラムと
をデータ放送を用いて送出する手段を有することを特徴とする放送局。
【請求項１０】
時間情報が、少なくとも、ＴＯＴ(Time Offset Table)又はＴＤＴ(Time Date Table)のいずれかであることを特徴とする請求項８又は請求項９に記載の放送局。
【請求項１１】
前記放送局は、受信機側で、ユーザが期限の情報を選択する為の時刻表データを送信する手段を更に有することを特徴とする請求項８から請求項１０のいずれかに記載の放送局。
【請求項１２】
データ放送を用いて受信機で時間管理を行う為の制御プログラムであって、
前記制御プログラムは前記受信機を
所定の期限の情報を、入力させる為の手段と、
入力された所定の期限の情報を、記憶手段に格納する手段と、
データ放送で取得した時間情報と前記所定の期限とを比較し、残存時間を計算し、これを表示する時間管理手段と
して機能させることを特徴とする受信機の制御プログラム。
【請求項１３】
前記制御プログラムは、受信機の記憶手段のうち、データ放送のチャンネルが変更されると、記憶されているデータが消去される第１の記憶領域に格納され、
前記制御プログラムは前記受信機を、前記所定の期限の情報を、受信機の記憶手段のうち、データ放送のチャンネルが変更されても、記憶されているデータが消去されない第２の領域に格納する手段として機能させることを特徴とする請求項１２に記載の受信機の制御プログラム。
【請求項１４】
前記時間情報が、少なくとも、ＴＯＴ(Time Offset Table)又はＴＤＴ(Time Date Table)のいずれかであることを特徴とする請求項１２又は請求項１３に記載の受信機の制御プログラム。
【請求項１５】
前記制御プログラムは前記受信機を、ユーザ毎に所定の期限を記憶する手段として機能させることを特徴とする請求項１２から請求項１４のいずれかに記載の受信機の制御プログラム。
【請求項１６】
前記制御プログラムは前記受信機を、
放送局から時刻表データを受信する受信手段と、
受信した時刻表データより、ユーザが要求する期限の情報を選択し、この期限の情報を記憶手段に格納する手段と
して機能させることを特徴とする請求項１２から請求項の１５いずれかに記載の受信機の制御プログラム。
【請求項１７】
前記制御プログラムは前記受信機を、
外部のサーバから時刻表データを受信する受信手段と、
受信した時刻表データより、ユーザが要求する期限の情報を選択し、この期限の情報を記憶手段に格納する手段と
して機能させることを特徴とする請求項１２から請求項の１６いずれかに記載の受信機の制御プログラム。
【請求項１８】
データ放送の受信機であって、
記憶手段と、
データ放送から時間情報を収得する手段と、
所定の期限の情報を、入力させる為の手段と、
入力された所定の期限の情報を、前記記憶手段に格納する手段と、
前記データ放送で取得した時間情報と前記所定の期限とを比較し、残存時間を計算し、これを表示する時間管理手段と
を有することを特徴とする受信機。
【請求項１９】
前記時間管理手段は、データ放送のチャンネルが変更されると、時間管理の処理を中止するように構成されていることを特徴とする請求項１８に記載の受信機。
【請求項２０】
前記時間情報が、少なくとも、ＴＯＴ(Time Offset Table)又はＴＤＴ(Time Date Table)のいずれかであることを特徴とする請求項１８又は請求項１９に記載の受信機。
【請求項２１】
データ放送を用いた情報表示システムであって、
所定の事項を特定する事項特定情報から、その事項に関する情報を外部のサーバから取得し、取得した情報を表示する制御プログラムを、データ放送を用いて送出する手段を有する放送局と、
前記事項特定情報と、前記事項特定情報から特定される事項に関する情報とが関連付けられて記憶されているデータベースと、
事項特定情報を受けて、この事項特定情報に関連付けられた情報を、前記データベースから検索し、この検索された情報を送信する手段と
を有するサーバと、
前記放送局を選局すると、前記制御プログラムを受信する受信手段と、
データ放送のチャンネルが変更されると、記憶されているデータが消去される第１の記憶手段と、
データ放送のチャンネルが変更されても、記憶されているデータが消去されない第２の記憶手段と、
受信した制御プログラムを、前記第１の記憶手段に格納する手段と、
入力された事項特定情報を、前記第２の記憶手段に格納する手段と、
前記制御プログラムに基づいて、前記第２の記憶手段に格納されている事項特定情報を前記サーバに送信し、前記事項特定情報から特定される事項に関する情報を受信し、受信した前記事項特定情報から特定される事項に関する情報を表示する手段と
を有する受信機と
を有することを特徴とするデータ放送の情報表示システム。
【請求項２２】
前記事項特定情報が交通機関の出発場所又は到着場所であり、前記事項特定情報から特定される事項に関する情報が前記出発場所又は到着場所における交通機関の時刻表であることを特徴とする請求項２１に記載のデータ放送の情報表示システム。
【請求項２３】
データ放送を用いた情報表示システムであって、
少なくとも所定の交通機関の出発場所及び到着場所の情報から、前記出発場所と前記到着場所との間の経路に関する交通経路情報を表示する制御プログラムを、データ放送を用いて送出する手段を有する放送局と、
少なくとも所定の交通機関の出発場所及び到着場所の情報から、これに対応する交通経路情報を検索する為の情報が記憶されているデータベースと、
少なくとも所定の交通機関の出発場所及び到着場所の情報を受けて、この情報に対応する交通経路情報を検索し、この検索された交通経路情報を送信する手段と
を有するサーバと、
前記放送局が選局されると、前記制御プログラムを受信する受信手段と、
データ放送のチャンネルが変更されると、記憶されているデータが消去される第１の記憶手段と、
データ放送のチャンネルが変更されても、記憶されているデータが消去されない第２の記憶手段と、
受信した制御プログラムを、前記第１の記憶手段に格納する手段と、
前記制御プログラムに基づいて、入力された交通機関の出発場所及び到着場所の情報を前記サーバに送信し、前記出発場所と到着場所との間の交通経路情報を受信し、受信した交通経路情報を表示する手段と、
前記制御プログラムに基づいて、入力された交通機関の出発場所及び到着場所を前記第２の記憶手段に格納する手段と、
前記制御プログラムに基づいて、受信した交通経路情報が複数ある場合、複数の順位の交通経路情報の中から一つの交通経路情報をユーザに選択させ、ユーザが選択した交通経路情報の順位を前記第２の記憶手段に格納する手段と、
前記第１の記憶手段の制御プログラムが消去された後、再度前記放送局に選局されて前記第１の記憶手段に格納された制御プログラムに基づいて、前記第２の記憶手段に格納されている交通機関の出発場所及び到着場所の情報を前記サーバに送信し、前記出発場所と到着場所との間の交通経路情報を受信し、受信した複数の交通経路情報のうち、前記第２の記憶手段に格納されている選択順位に対応する交通経路情報を表示する手段と
を有する受信機と
を有することを特徴とするデータ放送の時間管理システム。
【請求項２４】
データ放送を用いた時間管理システムであって、
少なくとも所定の交通機関の出発場所、到着場所及び出発又は到着時刻の情報から、前記出発場所の出発時間と前記出発場所と前記到着場所との間の経路とに関する交通経路情報を表示し、又、現在の日時に関する時間情報と、交通機関の出発場所における出発時間までの残存時間を計算し、これを表示する制御プログラムと、現在の日時に関する時間情報とを、データ放送を用いて送出する手段を有する放送局と、
少なくとも所定の交通機関の出発場所、到着場所及び出発又は到着時刻の情報から、前記出発場所の出発時間及び前記出発場所と到着場所との間の経路に関する交通経路情報を検索する為の情報が記憶されているデータベースと、
少なくとも所定の交通機関の出発場所、到着場所及び出発又は到着時刻の情報を受けて、この情報に対応する交通経路情報を検索し、この検索された交通経路情報を送信する手段と
を有するサーバと、
前記放送局が選局されると、前記制御プログラムと前記時間情報とを受信する受信手段と、
データ放送のチャンネルが変更されると、記憶されているデータが消去される第１の記憶手段と、
データ放送のチャンネルが変更されても、記憶されているデータが消去されない第２の記憶手段と、
受信した制御プログラムを、前記第１の記憶手段に格納する手段と、
前記制御プログラムに基づいて、入力された交通機関の出発場所、到着場所及び出発又は到着時刻の情報を前記サーバに送信し、送信した情報に対応する交通経路情報を受信し、受信した交通経路情報を表示する手段と、
前記制御プログラムに基づいて、入力された交通機関の出発場所、到着場所及び出発又は到着時刻を前記第２の記憶手段に格納する手段と、
前記制御プログラムに基づいて、受信した交通経路情報が複数ある場合、複数の順位の交通経路情報の中から一つの交通経路情報をユーザに選択させ、ユーザが選択した交通経路情報の順位を前記第２の記憶手段に格納する手段と、
前記第１の記憶手段の制御プログラムが消去された後、再度前記放送局を選局して前記第１の記憶手段に格納された制御プログラムに基づいて、前記第２の記憶手段に格納されている交通機関の出発場所、到着場所及び出発又は到着時刻の情報を前記サーバに送信し、送信した情報に対応する交通経路情報を受信し、受信した複数の交通経路情報のうち、前記第２の記憶手段に格納されている選択順位に対応する交通経路情報に含まれる出発時間と、前記時間情報とを比較し、出発時間までの残存時間を計算し、この残存時間を表示する時間管理手段と
を有する受信機と
を有することを特徴とするデータ放送の時間管理システム。
【請求項２５】
前記時間情報が、少なくとも、ＴＯＴ(Time Offset Table)又はＴＤＴ(Time Date Table)のいずれかであることを特徴とする請求項２４に記載のデータ放送の時間管理システム。
【請求項２６】
前記制御プログラムに基づいて、ユーザの居場所から交通機関の出発場所までの所要時間を前記第２の記憶手段に格納する手段を有し、
前記時間管理手段は、前記制御プログラムに基づいて、前記第２の記憶手段に格納されている所要時間を加味して出発時間までの残存時間を計算し、この残存時間を表示することを特徴とする請求項２４又は請求項２５に記載のデータ放送の時間管理システム。
【請求項２７】
データ放送の受信機の制御プログラムであって、
前記制御プログラムは、所定の放送局からデータ放送を用いて送信され、前記放送局が選局されて受信されると、データ放送のチャンネルが変更されると記憶されているデータが消去される受信機の第１の記憶手段に格納され、
前記制御プログラムは前記受信機を、
入力された所定の事項を特定する事項特定情報を、データ放送のチャンネルが変更されても、記憶されているデータが消去されない受信機の第２の記憶手段に格納する手段と、
前記第２の記憶手段に格納されている事項特定情報を外部のサーバに送信し、前記事項特定情報から特定される事項に関する情報を受信し、受信した前記事項特定情報から特定される事項に関する情報を表示する手段と
して機能させることを特徴とする制御プログラム。
【請求項２８】
前記事項特定情報が交通機関の出発場所又は到着場所であり、前記事項特定情報から特定される事項に関する情報が前記出発場所又は到着場所における交通機関の時刻表であることを特徴とする請求項２７に記載の制御プログラム。
【請求項２９】
データ放送の受信機の制御プログラムであって、
前記制御プログラムは、所定の放送局からデータ放送を用いて送信され、前記放送局が選局されて受信されると、データ放送のチャンネルが変更されると記憶されているデータが消去される受信機の第１の記憶手段に格納され、
前記制御プログラムは前記受信機を、
入力された交通機関の出発場所及び到着場所の情報を外部のサーバに送信し、前記出発場所と到着場所との間の交通経路情報を受信し、受信した交通経路情報を表示する手段と、
入力された交通機関の出発場所及び到着場所を、データ放送のチャンネルが変更されても、記憶されているデータが消去されない受信機の第２の記憶手段に格納する手段と、
受信した交通経路情報が複数ある場合、複数の順位の交通経路情報の中から一つの交通経路情報をユーザに選択させ、ユーザが選択した交通経路情報の順位を前記第２の記憶手段に格納する手段と、
チャンネル変更による前記第１の記憶手段のデータが消去され、再度前記放送局に選局されて制御プログラムが受信された場合、前記第２の記憶手段に格納されている交通機関の出発場所及び到着場所の情報を前記サーバに送信し、前記出発場所と到着場所との間の交通経路情報を受信し、受信した複数の交通経路情報のうち、前記第２の記憶手段に格納されている選択順位に対応する交通経路情報を表示する手段と
して機能させることを特徴とする制御プログラム。
【請求項３０】
データ放送の受信機の制御プログラムであって、
前記制御プログラムは、所定の放送局からデータ放送を用いて送信され、前記放送局が選局されて受信されると、データ放送のチャンネルが変更されると記憶されているデータが消去される受信機の第１の記憶手段に格納され、
前記制御プログラムは前記受信機を、
入力された交通機関の出発場所、到着場所及び出発又は到着時刻の情報を外部のサーバに送信し、それらの情報に対応する交通経路情報を受信し、受信した交通経路情報を表示する手段と、
入力された交通機関の出発場所、到着場所及び出発又は到着時刻を、データ放送のチャンネルが変更されても、記憶されているデータが消去されない第２の記憶手段に格納する手段と、
受信した交通経路情報が複数ある場合、複数の順位の交通経路情報の中から一つの交通経路情報をユーザに選択させ、ユーザが選択した交通経路情報の順位を前記第２の記憶手段に格納する手段と、
チャンネル変更による前記第１の記憶手段のデータが消去され、再度前記放送局に選局されて制御プログラムが受信された場合、前記第２の記憶手段に格納されている交通機関の出発場所、到着場所及び出発又は到着時刻の情報を前記サーバに送信し、それらの情報に対応する交通経路情報を受信し、受信した複数の交通経路情報のうち、前記第２の記憶手段に格納されている選択順位に対応する交通経路情報に含まれる出発時間と、現在の時間情報とを比較し、出発時間までの残存時間を計算し、この残存時間を表示する時間管理手段と
して機能させることを特徴とする制御プログラム。
【請求項３１】
前記現在時間情報が、少なくとも、ＴＯＴ(Time Offset Table)又はＴＤＴ(Time Date Table)のいずれかであることを特徴とする請求項３０に記載の制御プログラム。
【請求項３２】
前記制御プログラムは前記時間管理手段を、前記第２の記憶手段に格納されたユーザの居場所から交通機関の出発場所までの所要時間を加味して出発時間までの残存時間を計算し、この残存時間を表示するように機能させることを特徴とすることを請求項３０又は請求項３１に記載の制御プログラム。
【請求項３３】
放送局であって、
請求項２７から請求項３２のいずれかに記載の制御プログラムを、データ放送を用いて送出する手段を有することを特徴とする放送局。
【発明の詳細な説明】
【技術分野】
【０００１】
本発明はデータ放送の時間管理システムに関し、特にデジタル放送で提供されるＴＯＴ(Time Offset Table)やＴＤＴ(Time Date Table)を用いて、ユーザによりセットされた設定時間、またはユーザによりセットされた情報から導き出された時間までの残存時間を受信機に表示したり、ユーザが希望する情報を表示したりする技術に関する。
【背景技術】
【０００２】
近年、地上デジタル放送が開始され、この放送波には、トランスポートストリーム（Transport Stream）という方式が用いられ、複数のトランスポートストリームにより、プログラム（番組）データが多重化された放送波が送信される。この放送波にはプログラムのデータの他にも様々なデータが含まれるが、この中にＴＯＴと呼ばれるＰＩＤ（packet Identefier：パケット識別符号因子）を有するデータ群が含まれている。このＴＯＴには、ＪＳＴ（日本標準時）の時刻、日付（以下、これらをまとめて現在時刻という）、サマータイムが導入されている場合には時間オフセット値等がデータとして含まれる。
【０００３】
図１４は従来のデジタル放送受信機１００の全体構成図である。図１４において、１００はデジタル放送受信機、２００は放送波を受信、分離する受信部、３００はデジタル放送受信機の時刻管理を行う時刻管理部、４００は受信機１００に設けられた内部時計、５００は放送波を送信する放送局をそれぞれ表す。
【０００４】
デジタル放送受信機１００は放送波に含まれるＴＯＴを抽出し、内部時計４００への現在時刻の設定又は補正（以下、調整と記す）を行う機能を有している。以下、この時刻調整機能の動作について説明する。
【０００５】
デジタル放送受信機１００の電源が投入されると、受信部２００は、受信した放送波の処理を開始する。受信部２００は放送波に含まれる多重化されたデータに基づいて、各番組プログラムデータ、その他のデータを、各データに分離する。受信部２００は、分離したデータを処理し、ＴＯＴを含む信号を時刻管理部３００に送信する。
【０００６】
時刻管理部３００は受信部２００より受信したＴＯＴのデータを含む信号を処理し、ＴＯＴに含まれる各データを抽出する。そして、さらにそのデータのうち、現在時刻データについては内部時計４００に現在時刻データを含む信号を送信する。内部時計４００は、現在時刻データを含む信号に基づいて、画面表示、予約等に使用する現在時刻を調整する。
【０００７】
現在時刻データ以外のＴＯＴに含まれるデータは時刻管理部３００が記憶し、管理する。ここで、サマータイムが導入されている場合には、ＴＯＴには時間オフセット値も設定されている。この場合、時刻管理部３００は、その値に基づいて内部時計４００に対してサマータイムの設定、解除の処理も行う。
【０００８】
このようにして、デジタル放送では、正確に時間を制御している。
【０００９】
また、従来からテレビ受信機にタイマー機能を設け、所定の時間までの残存時間を画面に表示する技術も開示されている（例えば、特許文献１）。
【００１０】
【特許文献１】特開平７−２５５０１８号公報
【発明の開示】
【発明が解決しようとする課題】
【００１１】
ところで、テレビを視聴している視聴者は、朝等は通勤、通学のために時間を気にしていることが多く、これを考慮してテレビ局も時間情報をスーパーして番組を放送していることが多い。
【００１２】
しかしながら、気にしている時間は視聴者毎に異なり、単に現在時間を表示しただけでは、あとどの位の時間があるのか気が付かないことが多い。
【００１３】
また、上述の従来技術のように受信機にタイマー機能を設けて、それを設定する方法もあるが、家庭等では、受信機の内部時計が間違っている場合も多く、かならずしも正確に残存時間を表示できるとは限らない。
【００１４】
一方、放送する側にとっては、なるべくチャンネルの変更をさせたくないという希望があり、ザッピング防止の手段を模索していた。
【００１５】
そこで、本発明は上記課題に鑑みて発明されたものであって、その目的は受信機のユーザ、すなわち視聴者の各々が定める期限の残存時間を、正確にテレビの画面に表示することができる技術を提供することにより、上記課題を解決することにある。
【００１６】
また、本発明の目的は、チャンネルの変更を極力行わせない、ザッピングの防止手段を提供することにより、上記課題を解決することにある。
【００１７】
また、限られた受信機の記憶容量を効率良く用いて、ユーザ（視聴者）に負担をかけずに希望する情報を提供することができる技術を提供することにより、上記課題を解決することにある。
【００１８】
上記課題を解決する第１の発明は、データ放送を用いた時間管理システムであって、
現在の日時に関する時間情報と、受信機側で記憶されている所定の期限の残存時間を計算し、これを表示する時間管理プログラムとを、データ放送を用いて送出する手段を有する放送局と、
前記時間情報と、前記時間管理プログラムとを受信する受信手段と、所定の期限が記憶された記憶部と、前記時間管理プログラムに基づいて、前記時間情報と前記所定の期限とを比較し、残存時間を計算し、これを表示する時間管理手段とを有する受信機と
を有することを特徴とする。
【００１９】
上記課題を解決する第２の発明は、データ放送を用いた時間管理システムであって、
現在の日時に関する時間情報を、データ放送を用いて送出する手段を有する放送局と、
前記時間情報を受信する受信手段と、所定の期限が記憶された記憶部と、前記時間情報と前記所定の期限とを比較し、残存時間を計算し、これを表示する時間管理手段とを有する受信機と
を有することを特徴とする。
【００２０】
上記課題を解決する第３の発明は、データ放送を用いた時間管理システムであって、
現在の日時に関する時間情報と、ユーザの所定の期限までの残存時間を計算し、これを表示する時間管理プログラムとを、データ放送を用いて送出する手段
を有する放送局と、
前記時間情報と、前記時間管理プログラムとを受信する受信手段と、
データ放送のチャンネルが変更されると、記憶されているデータが消去される第１の記憶手段と、
データ放送のチャンネルが変更されても、記憶されているデータが消去されない第２の記憶手段と、
前記時間管理プログラムを、前記第１の記憶手段に格納する手段と、
入力された所定の期限の情報を、前記第２の記憶手段に格納する手段と、
前記時間管理プログラムに基づいて、前記時間情報と前記所定の期限とを比較し、残存時間を計算し、これを表示する時間管理手段と
を有する受信機と
を有することを特徴とする。
【００２１】
上記課題を解決する第４の発明は、上記第１から第３のいずれかの発明において、時間情報が、少なくとも、ＴＯＴ(Time Offset Table)又はＴＤＴ(Time
Date Table)のいずれかであることを特徴とする。
【００２２】
上記課題を解決する第４の発明は、上記第１から第４のいずれかの発明において、ユーザ毎に所定の期限が記憶されるように構成することを特徴とする。
【００２３】
上記課題を解決する第６の発明は、上記第１から第５のいずれかの発明において、前記放送局は、時刻表データを放送する手段と、
前記受信機は、前記放送局から時刻表データを受信する受信部と、受信した時刻表データより、ユーザが要求する期限の情報を選択し、この期限の情報を第２の記憶手段に格納する手段とを有することを特徴とする。
【００２４】
上記課題を解決する第７の発明は、上記第１から第６のいずれかの発明において、時刻表データが格納されたサーバを有し、
前記受信機は、前記サーバから時刻表データを受信する受信部と、受信した時刻表データより、ユーザが要求する期限の情報を選択し、この期限の情報を記憶手段に格納する手段とを有することを特徴とする。
【００２５】
上記課題を解決する第８の発明は、受信機側で時間管理を行う為の情報を、データ放送を用いて放送する放送局であって、
現在の日時に関する時間情報と、受信機側で記憶されている所定の期限の残存時間を計算し、これを表示する時間管理プログラムとをデータ放送を用いて送出する手段を有することを特徴とする。
【００２６】
上記課題を解決する第９の発明は、受信機側で時間管理を行う為の情報を、データ放送を用いて放送する放送局であって、
現在の日時に関する時間情報と、データ放送のチャンネルが変更されると、記憶されているデータが消去される受信機の領域に格納され、ユーザの所定の期限までの残存時間を計算し、これを表示する時間管理プログラムとを、データ放送を用いて送出する手段を有することを特徴とする。
【００２７】
上記課題を解決する第１０の発明は、上記第８又は９の発明において、時間情報が、少なくとも、ＴＯＴ(Time Offset Table)又はＴＤＴ(Time
Date Table)のいずれかであることを特徴とする。
【００２８】
上記課題を解決する第１１の発明は、上記第８から第１０のいずれかの発明において、前記放送局は、受信機側で、ユーザが期限の情報を選択する為の時刻表データを送信する手段を更に有することを特徴とする。
【００２９】
上記課題を解決する第１２の発明は、データ放送を用いて受信機で時間管理を行う為の制御プログラムであって、
前記制御プログラムは前記受信機を
所定の期限の情報を、入力させる為の手段と、
入力された所定の期限の情報を、記憶手段に格納する手段と、
データ放送で取得した時間情報と前記所定の期限とを比較し、残存時間を計算し、これを表示する時間管理手段と
して機能させることを特徴とする。
【００３０】
上記課題を解決する第１３の発明は、上記第１２の発明において、前記制御プログラムは、受信機の記憶手段のうち、データ放送のチャンネルが変更されると、記憶されているデータが消去される第１の記憶領域に格納され、
前記制御プログラムは前記受信機を、前記所定の期限の情報を、受信機の記憶手段のうち、データ放送のチャンネルが変更されても、記憶されているデータが消去されない第２の領域に格納する手段として機能させることを特徴とする。
【００３１】
上記課題を解決する第１４の発明は、上記第１２又は第１３の発明において、前記時間情報が、少なくとも、ＴＯＴ(Time Offset
Table)又はＴＤＴ(Time Date Table)のいずれかであることを特徴とする。
【００３２】
上記課題を解決する第１５の発明は、上記第１２から第１４のいずれかの発明において、前記制御プログラムは前記受信機を、ユーザ毎に所定の期限を記憶する手段として機能させることを特徴とする。
【００３３】
上記課題を解決する第１６の発明は、上記第１２から第１５のいずれかの発明において、前記制御プログラムは前記受信機を、
放送局から時刻表データを受信する受信手段と、
受信した時刻表データより、ユーザが要求する期限の情報を選択し、この期限の情報を記憶手段に格納する手段と
して機能させることを特徴とする。
【００３４】
上記課題を解決する第１７の発明は、上記第１２から第１６のいずれかの発明において、前記制御プログラムは前記受信機を、
外部のサーバから時刻表データを受信する受信手段と、
受信した時刻表データより、ユーザが要求する期限の情報を選択し、この期限の情報を記憶手段に格納する手段と
して機能させることを特徴とする。
【００３５】
上記課題を解決する第１８の発明は、データ放送の受信機であって、
記憶手段と、
データ放送から時間情報を収得する手段と、
所定の期限の情報を、入力させる為の手段と、
入力された所定の期限の情報を、前記記憶手段に格納する手段と、
前記データ放送で取得した時間情報と前記所定の期限とを比較し、残存時間を計算し、これを表示する時間管理手段と
を有することを特徴とする。
【００３６】
上記課題を解決する第１９の発明は、上記第１８の発明において、前記時間管理手段は、データ放送のチャンネルが変更されると、時間管理の処理を中止するように構成されていることを特徴とする。
【００３７】
上記課題を解決する第２０の発明は、上記第１８又は第１９の発明において、前記時間情報が、少なくとも、ＴＯＴ(Time Offset
Table)又はＴＤＴ(Time Date Table)のいずれかであることを特徴とする。
【００３８】
上記課題を解決する第２１の発明は、データ放送を用いた情報表示システムであって、
所定の事項を特定する事項特定情報から、その事項に関する情報を外部のサーバから取得し、取得した情報を表示する制御プログラムを、データ放送を用いて送出する手段を有する放送局と、
前記事項特定情報と、前記事項特定情報から特定される事項に関する情報とが関連付けられて記憶されているデータベースと、
事項特定情報を受けて、この事項特定情報に関連付けられた情報を、前記データベースから検索し、この検索された情報を送信する手段と
を有するサーバと、
前記放送局を選局すると、前記制御プログラムを受信する受信手段と、
データ放送のチャンネルが変更されると、記憶されているデータが消去される第１の記憶手段と、
データ放送のチャンネルが変更されても、記憶されているデータが消去されない第２の記憶手段と、
受信した制御プログラムを、前記第１の記憶手段に格納する手段と、
入力された事項特定情報を、前記第２の記憶手段に格納する手段と、
前記制御プログラムに基づいて、前記第２の記憶手段に格納されている事項特定情報を前記サーバに送信し、前記事項特定情報から特定される事項に関する情報を受信し、受信した前記事項特定情報から特定される事項に関する情報を表示する手段と
を有する受信機と
を有することを特徴とする。
【００３９】
上記課題を解決する第２２の発明は、上記第２１の発明において、前記事項特定情報が交通機関の出発場所又は到着場所であり、前記事項特定情報から特定される事項に関する情報が前記出発場所又は到着場所における交通機関の時刻表であることを特徴とする。
【００４０】
上記課題を解決する第２３の発明は、データ放送を用いた情報表示システムであって、
少なくとも所定の交通機関の出発場所及び到着場所の情報から、前記出発場所と前記到着場所との間の経路に関する交通経路情報を表示する制御プログラムを、データ放送を用いて送出する手段を有する放送局と、
少なくとも所定の交通機関の出発場所及び到着場所の情報から、これに対応する交通経路情報を検索する為の情報が記憶されているデータベースと、
少なくとも所定の交通機関の出発場所及び到着場所の情報を受けて、この情報に対応する交通経路情報を検索し、この検索された交通経路情報を送信する手段と
を有するサーバと、
前記放送局が選局されると、前記制御プログラムを受信する受信手段と、
データ放送のチャンネルが変更されると、記憶されているデータが消去される第１の記憶手段と、
データ放送のチャンネルが変更されても、記憶されているデータが消去されない第２の記憶手段と、
受信した制御プログラムを、前記第１の記憶手段に格納する手段と、
前記制御プログラムに基づいて、入力された交通機関の出発場所及び到着場所の情報を前記サーバに送信し、前記出発場所と到着場所との間の交通経路情報を受信し、受信した交通経路情報を表示する手段と、
前記制御プログラムに基づいて、入力された交通機関の出発場所及び到着場所を前記第２の記憶手段に格納する手段と、
前記制御プログラムに基づいて、受信した交通経路情報が複数ある場合、複数の順位の交通経路情報の中から一つの交通経路情報をユーザに選択させ、ユーザが選択した交通経路情報の順位を前記第２の記憶手段に格納する手段と、
前記第１の記憶手段の制御プログラムが消去された後、再度前記放送局に選局されて前記第１の記憶手段に格納された制御プログラムに基づいて、前記第２の記憶手段に格納されている交通機関の出発場所及び到着場所の情報を前記サーバに送信し、前記出発場所と到着場所との間の交通経路情報を受信し、受信した複数の交通経路情報のうち、前記第２の記憶手段に格納されている選択順位に対応する交通経路情報を表示する手段と
を有する受信機と
を有することを特徴とする。
【００４１】
上記課題を解決する第２４の発明は、データ放送を用いた時間管理システムであって、
少なくとも所定の交通機関の出発場所、到着場所及び出発又は到着時刻の情報から、前記出発場所の出発時間と前記出発場所と前記到着場所との間の経路とに関する交通経路情報を表示し、又、現在の日時に関する時間情報と、交通機関の出発場所における出発時間までの残存時間を計算し、これを表示する制御プログラムと、現在の日時に関する時間情報とを、データ放送を用いて送出する手段を有する放送局と、
少なくとも所定の交通機関の出発場所、到着場所及び出発又は到着時刻の情報から、前記出発場所の出発時間及び前記出発場所と到着場所との間の経路に関する交通経路情報を検索する為の情報が記憶されているデータベースと、
少なくとも所定の交通機関の出発場所、到着場所及び出発又は到着時刻の情報を受けて、この情報に対応する交通経路情報を検索し、この検索された交通経路情報を送信する手段と
を有するサーバと、
前記放送局が選局されると、前記制御プログラムと前記時間情報とを受信する受信手段と、
データ放送のチャンネルが変更されると、記憶されているデータが消去される第１の記憶手段と、
データ放送のチャンネルが変更されても、記憶されているデータが消去されない第２の記憶手段と、
受信した制御プログラムを、前記第１の記憶手段に格納する手段と、
前記制御プログラムに基づいて、入力された交通機関の出発場所、到着場所及び出発又は到着時刻の情報を前記サーバに送信し、送信した情報に対応する交通経路情報を受信し、受信した交通経路情報を表示する手段と、
前記制御プログラムに基づいて、入力された交通機関の出発場所、到着場所及び出発又は到着時刻を前記第２の記憶手段に格納する手段と、
前記制御プログラムに基づいて、受信した交通経路情報が複数ある場合、複数の順位の交通経路情報の中から一つの交通経路情報をユーザに選択させ、ユーザが選択した交通経路情報の順位を前記第２の記憶手段に格納する手段と、
前記第１の記憶手段の制御プログラムが消去された後、再度前記放送局を選局して前記第１の記憶手段に格納された制御プログラムに基づいて、前記第２の記憶手段に格納されている交通機関の出発場所、到着場所及び出発又は到着時刻の情報を前記サーバに送信し、送信した情報に対応する交通経路情報を受信し、受信した複数の交通経路情報のうち、前記第２の記憶手段に格納されている選択順位に対応する交通経路情報に含まれる出発時間と、前記時間情報とを比較し、出発時間までの残存時間を計算し、この残存時間を表示する時間管理手段と
を有する受信機と
を有することを特徴とする。
【００４２】
上記課題を解決する第２５の発明は、上記第２４の発明において、前記時間情報が、少なくとも、ＴＯＴ(Time Offset Table)又はＴＤＴ(Time Date Table)のいずれかであることを特徴とする請求項２４に記載のデータ放送の時間管理システム。
【００４３】
上記課題を解決する第２６の発明は、上記第２４又は第２５の発明において、前記制御プログラムに基づいて、ユーザの居場所から交通機関の出発場所までの所要時間を前記第２の記憶手段に格納する手段を有し、
前記時間管理手段は、前記制御プログラムに基づいて、前記第２の記憶手段に格納されている所要時間を加味して出発時間までの残存時間を計算し、この残存時間を表示することを特徴とする。
【００４４】
上記課題を解決する第２７の発明は、データ放送の受信機の制御プログラムであって、
前記制御プログラムは、所定の放送局からデータ放送を用いて送信され、前記放送局が選局されて受信されると、データ放送のチャンネルが変更されると記憶されているデータが消去される受信機の第１の記憶手段に格納され、
前記制御プログラムは前記受信機を、
入力された所定の事項を特定する事項特定情報を、データ放送のチャンネルが変更されても、記憶されているデータが消去されない受信機の第２の記憶手段に格納する手段と、
前記第２の記憶手段に格納されている事項特定情報を外部のサーバに送信し、前記事項特定情報から特定される事項に関する情報を受信し、受信した前記事項特定情報から特定される事項に関する情報を表示する手段と
して機能させることを特徴とする。
【００４５】
上記課題を解決する第２８の発明は、上記第２７の発明において、前記事項特定情報が交通機関の出発場所又は到着場所であり、前記事項特定情報から特定される事項に関する情報が前記出発場所又は到着場所における交通機関の時刻表であることを特徴とする。
【００４６】
上記課題を解決する第２９の発明は、データ放送の受信機の制御プログラムであって、
前記制御プログラムは、所定の放送局からデータ放送を用いて送信され、前記放送局が選局されて受信されると、データ放送のチャンネルが変更されると記憶されているデータが消去される受信機の第１の記憶手段に格納され、
前記制御プログラムは前記受信機を、
入力された交通機関の出発場所及び到着場所の情報を外部のサーバに送信し、前記出発場所と到着場所との間の交通経路情報を受信し、受信した交通経路情報を表示する手段と、
入力された交通機関の出発場所及び到着場所を、データ放送のチャンネルが変更されても、記憶されているデータが消去されない受信機の第２の記憶手段に格納する手段と、
受信した交通経路情報が複数ある場合、複数の順位の交通経路情報の中から一つの交通経路情報をユーザに選択させ、ユーザが選択した交通経路情報の順位を前記第２の記憶手段に格納する手段と、
チャンネル変更による前記第１の記憶手段のデータが消去され、再度前記放送局に選局されて制御プログラムが受信された場合、前記第２の記憶手段に格納されている交通機関の出発場所及び到着場所の情報を前記サーバに送信し、前記出発場所と到着場所との間の交通経路情報を受信し、受信した複数の交通経路情報のうち、前記第２の記憶手段に格納されている選択順位に対応する交通経路情報を表示する手段として機能させることを特徴とする。
【００４７】
上記課題を解決する第３０の発明は、データ放送の受信機の制御プログラムであって、
前記制御プログラムは、所定の放送局からデータ放送を用いて送信され、前記放送局が選局されて受信されると、データ放送のチャンネルが変更されると記憶されているデータが消去される受信機の第１の記憶手段に格納され、
前記制御プログラムは前記受信機を、
入力された交通機関の出発場所、到着場所及び出発又は到着時刻の情報を外部のサーバに送信し、それらの情報に対応する交通経路情報を受信し、受信した交通経路情報を表示する手段と、
入力された交通機関の出発場所、到着場所及び出発又は到着時刻を、データ放送のチャンネルが変更されても、記憶されているデータが消去されない第２の記憶手段に格納する手段と、
受信した交通経路情報が複数ある場合、複数の順位の交通経路情報の中から一つの交通経路情報をユーザに選択させ、ユーザが選択した交通経路情報の順位を前記第２の記憶手段に格納する手段と、
チャンネル変更による前記第１の記憶手段のデータが消去され、再度前記放送局に選局されて制御プログラムが受信された場合、前記第２の記憶手段に格納されている交通機関の出発場所、到着場所及び出発又は到着時刻の情報を前記サーバに送信し、それらの情報に対応する交通経路情報を受信し、受信した複数の交通経路情報のうち、前記第２の記憶手段に格納されている選択順位に対応する交通経路情報に含まれる出発時間と、現在の時間情報とを比較し、出発時間までの残存時間を計算し、この残存時間を表示する時間管理手段として機能させることを特徴とする。
【００４８】
上記課題を解決する第３１の発明は、上記第３０の発明において、前記現在時間情報が、少なくとも、ＴＯＴ(Time Offset Table)又はＴＤＴ(Time Date Table)のいずれかであることを特徴とする。
【００４９】
上記課題を解決する第３２の発明は、上記第３０又は第３１の発明において、前記制御プログラムは前記時間管理手段を、前記第２の記憶手段に格納されたユーザの居場所から交通機関の出発場所までの所要時間を加味して出発時間までの残存時間を計算し、この残存時間を表示するように機能させることを特徴とする。
【００５０】
上記課題を解決する第３３の発明は、放送局であって、上記第２７から第３２のいずれかの制御プログラムを、データ放送を用いて送出する手段を有することを特徴とする放送局である。
【発明の効果】
【００５１】
本発明は、ユーザ（視聴者）には利便性のある残存時間を表示するサービスを提供できると共に、チャンネルを変更することにより、残存時間の計算が中止されて表示されなくなるので、ザッピング防止も図れるという効果を奏する。
【００５２】
また、他のチャンネルに変更後も、本サービスを実行の為に、サービス提供のチャンネルに復帰させるという効果もある。
【００５３】
また、他のチャンネル変更後、再度チャンネルを復帰した場合であっても、受信機の限られた記憶容量を有効に活用することにより、ユーザ（視聴者）に再度のデータ入力作業を行わせることなく、ユーザ（視聴者）の希望する情報や、期限の残存時間を表示・時間管理することができるという優れた効果を奏する。
【発明を実施するための最良の形態】
【００５４】
本発明は、放送局から、現在の日時に関する時間情報と、受信機側で、ユーザの所定の期限までの残存時間を計算し、これを表示する時間管理プログラムとを放送する。
【００５５】
受信機では、時間管理プログラムに基づいて、ユーザにより入力された所定の期限を記憶し、この所定の期限と放送されてくる時間情報とを比較し、残存時間を計算し、これを表示する。
【００５６】
また、時間管理プログラムは、受信機の記憶装置のうち、データ放送のチャンネルが変更されると、記憶されているデータが消去される記憶装置又は記憶領域に格納され、ユーザにより入力された所定の期限はデータ放送のチャンネルが変更されても、記憶されているデータが消去されない記憶装置又は記憶領域に格納されることが好ましい。
【００５７】
尚、データ放送に用いられる代表的な時間情報としては、ＴＯＴ(Time Offset Table)や、ＴＤＴ(Time Date Table)があり、本発明では、ＴＯＴ(Time Offset
Table)又はＴＤＴ(Time Date Table)、若しくはそれらの両方を用いる。
【００５８】
以下、具体的な実施例について述べる。
【実施例１】
【００５９】
本発明の実施例１を説明する。
【００６０】
図１は実施例１のデータ放送を用いた時刻管理システムの一構成を示す図である。この時刻管理システムは、図１に示す如く、データ放送を放送する放送局１と、受信機２とからなる。
【００６１】
放送局１は、時刻管理に必要な制御プログラムが格納されている記憶部１１と、その制御プログラム、他のデータ放送のデータを送信するデータ放送部１２と、データ放送部１２から送出されるデータと、本線側の番組・音声や、時刻情報であるＴＯＴ(Time Offset Table)とを多重化して放送する多重化部１３とを有する。
【００６２】
尚、ＴＯＴ(Time
Offset Table)の代わりに、ＴＤＴ(Time Date Table)を、用いても良いし、双方を用いても良い。
【００６３】
記憶部１１に格納されている時刻管理に必要な制御プログラムは、時刻管理に必要なデータを、受信機２側で入力する為のデータ入力プログラムと、入力された期限に関するデータと、現在の時間とを比較して時刻の管理を行う時刻管理・表示プログラムとからなる。
【００６４】
データ入力プログラムは、受信機の画面上にデータ入力画面を起動させ、入力されたデータ（日時）を、後述するＮＶＲＡＭの事業者専用領域に格納するプログラムである。時刻管理・表示プログラムは、ＮＶＲＡＭの事業者専用領域に格納されたデータ（日時）を、時刻情報であるＴＯＴ(Time Offset Table)と比較することにより、残存の日時を計算し、受信機の画面上に表示するプログラムである。これらのデータ入力プログラム及び時刻管理・表示プログラムについては後述する。
【００６５】
受信機２は、デジタル放送を受信し、本線側の映像・音声と、データ放送と、他のデータとを分離して送出するデジタル放送受信部２１と、個人データや事業者の特別な情報が格納される第１の記憶部（ＮＶＲＡＭ）２２と、プログラム等が格納される第２の記憶部２３と、制御プログラムに基づいて時刻の管理や表示を行う時刻管理・表示部２４と、時刻等が表示される表示部２５と、データ入力を制御する入力制御部２６と、データを入力する為の入力部２７とを有する。
【００６６】
デジタル放送受信部２１は、データ入力プログラム及び時刻管理・表示プログラムを、記憶部２３に格納すると共に、ＴＯＴ(Time Offset Table)を時刻管理・表示部２４に送信する。
【００６７】
記憶部（ＮＶＲＡＭ）２２は、図２に示される如く、共通領域２２１と事業者専用領域２２２とがあり、これらの領域は、基本的にはチャンネルが変更されても、記憶されているデータは消去されない領域である。
【００６８】
一方、記憶部２３は、チャンネルが変更されると、いままでに記憶されていたデータやプログラムが消去される記憶部である。そして、デジタル放送受信部２１により受信されたデータ入力プログラム及び時刻管理・表示プログラムは記憶部２３に格納され、後述するユーザにより入力される基本データ（日時等）は記憶部（ＮＶＲＡＭ）２２の事業者専用領域２２２に格納される。
【００６９】
尚、本実施例では、記憶部（ＮＶＲＡＭ）２２はチャンネルが変更されても、記憶されているデータが消去されないものであるが、記憶部（ＮＶＲＡＭ）２２の一部の領域がチャンネルの変更により、記憶されていたデータやプログラムが消去されるように構成されている場合には、データ入力プログラム及び時刻管理・表示プログラムを、その領域に格納するように構成しても良い。また、ＮＶＲＡＭの代わりに、電源ＯＦＦまで内容を保持しているＧｒｅｇ（ジーレジ）等のレジスタを用いても良い。
【００７０】
入力制御部２６は、記憶部２３に格納されたデータ入力プログラムに基づいて、入力画面を表示し、ユーザによる入力部２４により入力されたデータを記憶部（ＮＶＲＡＭ）２２の事業者専用領域２２２に格納するものである。
【００７１】
時刻管理・表示部２４は、記憶部２３に格納されている時刻管理・表示プログラムに基づいて、記憶部（ＮＶＲＡＭ）２２の事業者専用領域２２２に格納されているユーザ（視聴者）の期限情報（年や月、日時）と、ＴＯＴ(Time Offset Table)で示される現在時刻との差を計算し、ユーザの期限までの残存時間を計算する。そして、この残存時間を表示部２５に表示する。
【００７２】
ここで、時刻管理・表示部２４及び入力制御部２６を動作させる制御プログラムの一例を、図３，４に示す。
【００７３】
図示されたプログラムでは、まず、NVRAMに記録された登録時刻と現在時刻から、残り時刻を計算し表示する関数である”function RemainTime()”が定義されている。これらの処理は、NVRAMから登録時刻データを読み込み、この登録時刻から現在時刻を減算し、残存時間の表示色等を決定する処理である。
【００７４】
更に、登録時間のa分前になると、計算した残存時刻（時間）を表示する関数である”if( remain_time <= a )”が定義されている。
【００７５】
また、残り時間がb分以下になると、表示されている残存時間の文字色を赤にする関数”if( remain_time <= b )”が定義されている。
【００７６】
また、残存時間が０、例えば、出発時刻等になると、背景色を黄色に、表示を出発ですに変更し、警告音を鳴らす等の処理を行う関数”if( remain_time == 0 )”が定義されている。
【００７７】
また、残存時間、例えば出発時刻を越えてc分までは、○○分overの表示を行う関数である”if( remain_time >= -1*c )”が定義されている。
【００７８】
また、残存時間がa分より大きく、c分より多く過ぎていれば、残存時刻の表示OFFにする関数である”if( remain_time > a || remain_time < -1*c )”が定義されている。
【００７９】
以上が、時刻管理・表示プログラムである。
【００８０】
一方、データ入力プログラムでは、後述するNVRAMに時刻を登録する関数である”function memory()”が定義されている。
【００８１】
このような、制御プログラムにより、時刻管理・表示部２４及び入力制御部２６は動作する。
【００８２】
入力部２７は、例えば、リモコンや、受信機に設けられたボタン等である。
【００８３】
次に、上述の構成における動作を説明する。
【００８４】
図５は実施例１の動作を示すフローチャートである。
【００８５】
まず、視聴者は、本発明を実施している放送局のデータ放送を選局し（Ｓｔｅｐ  １００）、デジタル放送受信部２１により、制御プログラムを受信する（Ｓｔｅｐ  １０１）。そして、この制御プログラムは、記憶部２３に格納される（Ｓｔｅｐ  １０２）。
【００８６】
続いて、記憶部２３に格納されている時刻管理・表示プログラムに従って動作する時刻管理・表示部２４は、記憶部（ＮＶＲＡＭ）２２の事業者専用領域２２２に名前、期限（時間）等のデータが格納されているかを判断する（Ｓｔｅｐ  １０３、Ｓｔｅｐ  １０４）。
【００８７】
データがない場合には、視聴者の期限に関するデータを入力する為、記憶部２３のデータ入力プログラムに基づいて、入力制御部２６は、データ入力の処理を開始してデータ入力画面を表示部２５に表示させる（Ｓｔｅｐ  １０５）。
【００８８】
視聴者は、入力画面に従って、名前、期限（時間）を入力する（Ｓｔｅｐ  １０６）。そして、入力制御部２６は、データ入力プログラムに基づいて、名前、期限（時間）等のデータを、記憶部（ＮＶＲＡＭ）２２の事業者専用領域２２２に格納する（Ｓｔｅｐ  １０７）。
【００８９】
ここで、データの入力例を、入力画面を参照して説明する。
【００９０】
入力制御部２６は、データ入力が選択されると、図６に示すような、データ入力画面を表示部２５に表示する。ここでは、３個の期限まで入力できる入力画面例を示している。
【００９１】
次に入力１を選択すると、この入力１は誰の為のものであるかを識別する名前を選択する。図７では、パパ、ママ、ボクからパパを選択している。
【００９２】
最後に、登録時刻（期限）を入力して決定することにより、名前、期限（時間）が記憶部（ＮＶＲＡＭ）２２の事業者専用領域２２２に格納される。この表示画面を図８に示す。
【００９３】
次に、時刻管理・表示プログラムに従って動作する時刻管理・表示部２４は、ＴＯＴ(Time Offset Table)で示される現在時刻を取得し（Ｓｔｅｐ  １０８）、この現在時刻と、事業者専用領域２２２に格納されている期限（時間）と、ＴＯＴ(Time Offset Table)で示される現在時刻との差を計算し、視聴者の期限までの残存時間を計算する（Ｓｔｅｐ  １０９）。そして、この残存時間を、名前と共に表示部２５に表示する（Ｓｔｅｐ  １１０）。この一例を、図９に示す。尚、残存時間によって表示色を変更したり、警告を発したり、残存時間がマイナスになった場合について処理は、前述したプログラムの如く行う。
【００９４】
これを、サービスを提供しているチャンネルを視聴している間続ける。一方、チャンネルが変更されると、記憶部２３に格納されている制御プログラムは消去されるので、時刻管理・表示部２４による時間管理は中止され、残存時間も表示されなくなる（Ｓｔｅｐ  １１１）。
【００９５】
このような構成にすることにより、視聴者には利便性のある残存時間を表示するサービスを提供すると共に、チャンネルを変更することにより、残存時間の計算が中止されて表示されなくなるので、ザッピング防止も図れる。
【００９６】
尚、ストリーム蓄積再生の場合は、ＴＯＴ等で校正された絶対時刻を保持するデジタル受信機内蔵時計の示す時刻と各設定された期限時刻とをそれぞれ比較減算する。
【００９７】
また、上述の変形例として、テレビ番組に残存時間をスーパーインポーズ形式で表示するためには、残時刻情報以外を透明にしたデータ放送を伝送することで可能となる。この表示画面の一例を図１０に示す。
【実施例２】
【００９８】
実施例２を説明する。
【００９９】
実施例２では、期限時刻に代えて、誕生日などの特定の日を設定する機能に変更する。このようにすれば、その日まで残り何日（または何時間、または何分、または何秒）かを表示するカウントダウン計にもなる。この機能を使うアプリケーションとしては、特定日までのカウントダウンに加えて、ゴミの収集日を設定して、当日しか表示しないようにすれば、ゴミの日を通知するサービスになる。
【実施例３】
【０１００】
実施例３を説明する。
【０１０１】
実施例３では、期限時刻に代えて、所要時間を設定する機能に変更する。このようにすれば、タイマーサービスになる。この場合、データ放送上でタイマースタートのアクションを視聴者に要求する。スタートアクション（ボタンを押すなど）を受けると、現在時刻に設定されている時刻を加算した時刻を比較対照とする時刻に設定する。そして、その時刻と現在時刻を減算比較して、その結果を表示するように構成する。
【０１０２】
このような構成時の動作フローチャートを図１１に示す。
【０１０３】
まず、時刻管理・表示プログラムに従って動作する時刻管理・表示部２４は、スタートアクション（ボタンを押すなど）時に（Ｓｔｅｐ  ２００）、ＴＯＴ(Time Offset Table)で示される現在時刻を取得し（Ｓｔｅｐ  ２０１）、この現在時刻に、設定されている所要時間（例えば、１時間等）を加算し（Ｓｔｅｐ  ２０２）、これをタイマー時刻として事業者専用領域２２２に格納する（Ｓｔｅｐ  ２０３）。
【０１０４】
そして、そのタイマー時刻から、ＴＯＴ(Time Offset Table)で示される現在時刻を減算し（Ｓｔｅｐ  ２０４）、その結果を表示する（Ｓｔｅｐ  ２０５）。
【０１０５】
利用法としては、会社や学校から自宅への所要時間を登録しておき、帰宅の連絡により、データ放送上のタイマースタートボタンを押す。そうすれば、テレビを見ながら、その画面上にあと何分で帰ってくるのかの目安が表示される。
【実施例４】
【０１０６】
実施例４を説明する。
【０１０７】
実施例４では、放送局、又は外部のサーバから、例えば、電車、飛行機、バス等の交通機関の時刻表データを受信機に取り込み、その時刻表データに基づいて、その出発までの残存時間等を表示させる例を説明する。尚、以下の説明では、時刻表データとして、電車の時刻表を例にして説明する。
【０１０８】
構成としては、図１２に放送局１、又は外部のサーバ５０に時刻表データを用意しておき、各駅ごとの電車の発車時刻をデータ放送で伝送する。尚、外部のサーバ５０から時刻表データを受信する場合には、受信機１にデータ受信部２８を設ける。
【０１０９】
また、視聴者に駅（及びオプションとして駅までの所要時刻）を設定させる構成とすることもできる。そして、現在時刻から最も近い発車時刻の電車までの残り時間を、発車時刻データとＴＯＴもしくは内蔵時計から得られる時刻と比較減算して、その結果を表示する。オプションとして、駅と自宅の所要時間の設定があれば、現在時刻から最も近い電車ではなく、乗車可能な電車に乗るためにはあと何分後までに出ないとならないかという時刻の表示となる。
【０１１０】
以下に、時刻管理・表示部２４及び入力制御部２６の動作を説明する。図１３は、時刻管理・表示部２４及び入力制御部２６の動作のフローチャートである。
【０１１１】
まず、時刻表サービス開始されると（Ｓｔｅｐ  ３００）、NVRAM上データから設定された駅情報を取得する（Ｓｔｅｐ  ３０１）。そして、伝送されてくる時刻表データから、設定駅のデータ（出発時刻）を抽出する（Ｓｔｅｐ  ３０２）。尚、家から駅までの所要時刻のオプション計算ある場合には、その所要時刻を加味して出発時刻を計算する。
【０１１２】
次に、ＴＯＴ(Time Offset Table)で示される現在時刻を取得し（Ｓｔｅｐ  ３０３）、出発時刻の中で、現在時刻以降の最初の時刻データ（発車時刻）を、その駅の時刻表データから選択する（Ｓｔｅｐ  ３０４）。
【０１１３】
そして、選択した発車時刻を事業者専用領域２２２に格納し、この発車時刻からＴＯＴ(Time Offset Table)で示される現在時刻を減算し（Ｓｔｅｐ  ３０５）、その結果を表示する（Ｓｔｅｐ  ３０６）。そして、サービスが終了、すなわち、出発時刻までの残存時間がなくなるまで、所定の処理を繰り返す（Ｓｔｅｐ  ３０７，  ３０８）。
【０１１４】
このような動作により、視聴者に利便性のあるサービスを提供することができる。
【０１１５】
尚、上述の各実施例において、時刻管理・表示部２４と入力制御部２６とを分けた構成としたが、制御プログラムで動作する一つのＣＰＵ等で構成しても良い。
【実施例５】
【０１１６】
実施例５を説明する。
【０１１７】
実施例４では、放送局、又は外部のサーバから、例えば、電車、飛行機、バス等の交通機関の時刻表データを受信機に取り込み、その時刻表データに基づいて、その出発までの残存時間等を表示させる例を説明した。ところで、視聴者の中には、視聴者が利用する電車、飛行機、バス等の交通機関の時刻表を表示させておきたいと希望する場合もあると思われる。そこで、実施例５では、視聴者が利用する最寄りの駅の時刻表を表示させる例について説明する。
【０１１８】
図１５は実施例５のデータ放送を用いた時刻表の表示システムの一構成を示す図である。この表示システムは、図１５に示す如く、データ放送を放送する放送局１１０と、受信機２１０と、サーバ３１０とからなる。
【０１１９】
放送局１１０は、時刻表の表示に必要な制御プログラムが格納されている記憶部１１１と、その制御プログラム、他のデータ放送のデータを送信するデータ放送部１１２と、データ放送部１１２から送出されるデータと、本線側の番組・音声等とを多重化して放送する多重化部１１３とを有する。
【０１２０】
記憶部１１１に格納されている時刻表を表示するに必要な制御プログラムは、時刻表表示に必要なデータを、受信機２１０側で入力する為のデータ入力プログラムと、入力された情報に基づいて時刻表データを入手し、時刻表を表示する時刻表表示プログラムとからなる。
【０１２１】
データ入力プログラムは、受信機の画面上にデータ入力画面を起動させ、入力された駅名（例えば、視聴者の利用する駅）や、利用線名、上り下り等を、上述したＮＶＲＡＭの事業者専用領域に格納するプログラムである。
【０１２２】
時刻表表示プログラムは、ＮＶＲＡＭの事業者専用領域に格納されたデータ（日時）に基づいて、サーバ３１０より、記憶されている駅名（例えば、視聴者の利用する駅）や、利用線名、上り下り等に対応する時刻表データを入手し、この時刻表を表示するものである。
【０１２３】
これらのデータ入力プログラム及び時刻管理・表示プログラムについては後述する。
【０１２４】
受信機２１０は、デジタル放送を受信し、本線側の映像・音声と、データ放送と、他のデータとを分離して送出するデジタル放送受信部２３１と、個人データや事業者の特別な情報が格納される第１の記憶部（ＮＶＲＡＭ）２３２と、プログラム等が格納される第２の記憶部２３３と、制御プログラムに基づいて時刻表データを入手して時刻表を表示する時刻表表示部２３４と、時刻表等が表示される表示部２３５と、データ入力を制御する入力制御部２３６と、データを入力する為の入力部２３７と、サーバ３１０とのデータ送受信を行う送受信部２３８とを有する。
【０１２５】
デジタル放送受信部２３１は、データ入力プログラム及び時刻表表示プログラムを、記憶部２３３に格納する。
【０１２６】
記憶部（ＮＶＲＡＭ）２３２は、上述した図２に示される如く、共通領域２２１と事業者専用領域２２２とがあり、これらの領域は、基本的にはチャンネルが変更されても、記憶されているデータは消去されない領域である。
【０１２７】
一方、記憶部２３３は、チャンネルが変更されると、いままでに記憶されていたデータやプログラムが消去される記憶部である。そして、デジタル放送受信部２３１により受信されたデータ入力プログラム及び時刻表表示プログラムは記憶部２３３に格納され、後述するユーザにより入力される基本データ（駅名等）は記憶部（ＮＶＲＡＭ）２３２の事業者専用領域２２２に格納される。
【０１２８】
尚、本実施例では、記憶部（ＮＶＲＡＭ）２３２はチャンネルが変更されても、記憶されているデータが消去されないものであるが、記憶部（ＮＶＲＡＭ）２３２の一部の領域がチャンネルの変更により、記憶されていたデータやプログラムが消去されるように構成されている場合には、データ入力プログラム及び時刻管理・表示プログラムを、その領域に格納するように構成しても良い。また、ＮＶＲＡＭの代わりに、電源ＯＦＦまで内容を保持しているＧｒｅｇ（ジーレジ）等のレジスタを用いても良い。
【０１２９】
入力制御部２３６は、記憶部２３３に格納されたデータ入力プログラムに基づいて、入力画面を表示し、ユーザによる入力部２３７により入力されたデータを記憶部（ＮＶＲＡＭ）２３２の事業者専用領域２２２に格納するものである。
【０１３０】
時刻表表示部２３４は、記憶部２３３に格納されている時刻表表示プログラムに基づいて、記憶部（ＮＶＲＡＭ）２３２の事業者専用領域２２２に格納されている駅名（例えば、視聴者の利用する駅）や、利用線名、上り下り等に対応する時刻表データを入手し、この時刻表を表示部２３５に表示する。
【０１３１】
入力部２３７は、例えば、リモコンや、受信機に設けられたボタン等である。
【０１３２】
サーバ３１０は、各駅の時刻表データを管理しているサーバであり、駅名、路線種、上り下り等の情報を受けて、これらの情報に対応する時刻表データを受信機２１０に送信するものである。尚、サーバ３１０の構成は、インターネット等により従来から利用されているサーバの構成と同様なものである。
【０１３３】
次に、上述の構成における動作を説明する。
【０１３４】
図１６は実施例５の動作を示すフローチャートである。
【０１３５】
まず、視聴者は、本発明を実施している放送局のデータ放送を選局し（Ｓｔｅｐ  ４００）、デジタル放送受信部２３１により、制御プログラムを受信する（Ｓｔｅｐ  ４０１）。そして、この制御プログラムは、記憶部２３３に格納される（Ｓｔｅｐ  ４０２）。
【０１３６】
続いて、記憶部２３３に格納されている時刻表表示プログラムに従って動作する時刻表表示部２３４は、記憶部（ＮＶＲＡＭ）２３２の事業者専用領域２２２に駅名、利用路線種、上り下り等のデータが格納されているかを判断する（Ｓｔｅｐ  ４０３、Ｓｔｅｐ  ４０４）。
【０１３７】
データがない場合には、視聴者が希望する時刻表に関するデータを入力する為、記憶部２３３のデータ入力プログラムに基づいて、入力制御部２３６は、データ入力の処理を開始してデータ入力画面を表示部２３５に表示させる（Ｓｔｅｐ  ４０５）。
【０１３８】
視聴者は、入力画面に従って、駅名、利用路線種、上り下り等のデータを入力する（Ｓｔｅｐ  ４０６）。そして、入力制御部２３６は、データ入力プログラムに基づいて、入力された駅名、利用路線種、上り下り等のデータを、記憶部（ＮＶＲＡＭ）２３２の事業者専用領域２２２に格納する（Ｓｔｅｐ  ４０７）。
【０１３９】
次に、時刻表表示プログラムに従って動作する時刻表表示部２３４は、記憶部（ＮＶＲＡＭ）２３２の事業者専用領域２２２に格納された駅名、利用路線種、上り下り等のデータを、送受信部２３８を介してサーバ３１０に送信する（Ｓｔｅｐ  ４０８）。
【０１４０】
サーバ３１０では、受信した駅名、利用路線種、上り下り等のデータに対応する時刻表データを検索し（Ｓｔｅｐ  ４０９）、対応する時刻表データを受信機２１０に送信する（Ｓｔｅｐ  ４１０）。
【０１４１】
受信機２１０では、送受信部２３８により受信し（Ｓｔｅｐ  ４１１）、この時刻表データは記憶部２３３に格納される（Ｓｔｅｐ  ４１２）。
【０１４２】
時刻表表示部２３４は、記憶部２３３に格納された時刻表データに基づいて、表示部２３５に時刻表を表示する（Ｓｔｅｐ  ４１３）。
【０１４３】
ここで、図１７に時刻表の表示の一例を示す。図１７に示される時刻表では、データ放送のサービスに割り当てられる画面領域を考慮し、時刻表をスクロールできる構成としている。
【０１４４】
これを、サービスを提供しているチャンネルを視聴している間続ける。一方、チャンネルが変更されると、記憶部２３３に格納されている制御プログラムは消去されるので、時刻表表示部２３４による時刻表の表示は中止される（Ｓｔｅｐ  ４１４）。
【０１４５】
このような構成にすることにより、視聴者には利便性のある時刻表を表示するサービスを提供すると共に、チャンネルを変更することにより、時刻表の表示が中止されて表示されなくなるので、ザッピング防止も図れる。
【０１４６】
また、一旦チャンネルを変更しても、チャンネルを、サービスを提供している放送局に選局することにより、再び制御プログラムが記憶部２３３に格納されて時刻表表示部２３４が動作し、記憶部（ＮＶＲＡＭ）２３２に記憶されている情報に基づいて、再度時刻表データをサーバ３１０から入手して、視聴者の希望する時刻表を表示することができる。
【実施例６】
【０１４７】
実施例６を説明する。
【０１４８】
実施例６は、外部のサーバより、所定の交通機関の出発場所から到着場所までの交通経路情報を入手し、出発場所の出発時間まで残存時間を表示する時間管理システムである。尚、実施例６では、交通機関の具体的な例として列車を例にし、視聴者が希望する出発駅から到着駅までの交通経路を検索し、出発駅の出発時間までの残存時間を管理・表示する例を説明する。
【０１４９】
図１８は実施例６のデータ放送を用いた時間管理表示システムの一構成を示す図である。この時間管理表示システムは、図１８に示す如く、データ放送を放送する放送局６００と、受信機７００と、サーバ８００とからなる。
【０１５０】
放送局６００は、時間管理・表示に必要な制御プログラムが格納されている記憶部６０１と、その制御プログラム、他のデータ放送のデータを送信するデータ放送部６０２と、データ放送部６０２から送出されるデータと、本線側の番組・音声や、時刻情報であるＴＯＴ(Time Offset Table)とを多重化して放送する多重化部６０３とを有する。尚、ＴＯＴ(Time Offset Table)の代わりに、ＴＤＴ(Time Date Table)を、用いても良いし、双方を用いても良い。
【０１５１】
記憶部６０１に格納されている時刻管理・表示に必要な制御プログラムは、出発駅、到着駅及び到着時間等の交通経路を検索するに必要なデータを受信機７００側で入力する為のデータ入力プログラムと、入力された情報に基づいて交通経路を入手し、出発時間と現在の時間とを比較して時刻の管理を行う時刻管理・表示プログラムとからなる。
【０１５２】
データ入力プログラムは、受信機の画面上にデータ入力画面を起動させ、入力された出発駅、到着駅及び到着時間等を、ＮＶＲＡＭの事業者専用領域に格納するプログラムである。
【０１５３】
時刻管理・表示プログラムは、ＮＶＲＡＭの事業者専用領域に格納されたデータ（出発駅、到着駅及び到着時間等）をサーバ８００に送信して交通経路の情報を入手し、この交通経路を表示すると共に、出発時間と時刻情報であるＴＯＴ(Time Offset Table)と比較することにより、残存時間を計算し、受信機の画面上に表示するプログラムである。これらのデータ入力プログラム及び時刻管理・表示プログラムについては後述する。
【０１５４】
受信機７００は、デジタル放送を受信し、本線側の映像・音声と、データ放送と、他のデータとを分離して送出するデジタル放送受信部７０１と、個人データや事業者の特別な情報が格納される第１の記憶部（ＮＶＲＡＭ）７０２と、プログラム等が格納される第２の記憶部７０３と、制御プログラムに基づいて時刻の管理や表示を行う時刻管理・表示部７０４と、時刻等が表示される表示部７０５と、データ入力を制御する入力制御部７０６と、データを入力する為の入力部７０７と、サーバ８００とデータの送受信を行う送受信部７０８とを有する。
【０１５５】
デジタル放送受信部７０１は、データ入力プログラム及び時刻管理・表示プログラムを、記憶部７０３に格納すると共に、ＴＯＴ(Time Offset Table)を時刻管理・表示部７０４に送信する。
【０１５６】
記憶部（ＮＶＲＡＭ）７０２は、上述した図２に示される如く、共通領域２２１と事業者専用領域２２２とがあり、これらの領域は、基本的にはチャンネルが変更されても、記憶されているデータは消去されない領域である。
【０１５７】
一方、記憶部７０３は、チャンネルが変更されると、いままでに記憶されていたデータやプログラムが消去される記憶部である。そして、デジタル放送受信部７０１により受信されたデータ入力プログラム及び時刻管理・表示プログラムは記憶部７０３に格納され、ユーザにより入力される基本データ（出発駅、到着駅及び到着時間等）は記憶部（ＮＶＲＡＭ）７０２の事業者専用領域２２２に格納される。
【０１５８】
尚、本実施例では、記憶部（ＮＶＲＡＭ）７０２はチャンネルが変更されても、記憶されているデータが消去されないものであるが、記憶部（ＮＶＲＡＭ）７０２の一部の領域がチャンネルの変更により、記憶されていたデータやプログラムが消去されるように構成されている場合には、データ入力プログラム及び時刻管理・表示プログラムを、その領域に格納するように構成しても良い。また、ＮＶＲＡＭの代わりに、電源ＯＦＦまで内容を保持しているＧｒｅｇ（ジーレジ）等のレジスタを用いても良い。
【０１５９】
入力制御部７０６は、記憶部７０３に格納されたデータ入力プログラムに基づいて、入力画面を表示し、ユーザによって操作される入力部７０４により入力されたデータを記憶部（ＮＶＲＡＭ）７０２の事業者専用領域２２２に格納するものである。
【０１６０】
時刻管理・表示部７０４は、記憶部７０３に格納されている時刻管理・表示プログラムに基づいて、記憶部（ＮＶＲＡＭ）７０２の事業者専用領域２２２に格納されている視聴者の情報（出発駅、到着駅及び到着時間等）により、サーバ８００から交通経路の情報を入手し、この交通経路を表示すると共に、出発時間と時刻情報であるＴＯＴ(Time Offset Table)と比較することにより、残存時間を計算する。そして、この残存時間を表示部７０５に表示する。
【０１６１】
また、サーバ８００から入手した交通経路に複数の順位がある場合、視聴者が選んだ交通経路の順位を記憶部（ＮＶＲＡＭ）７０２の事業者専用領域２２２に格納する。本来、記憶部（ＮＶＲＡＭ）７０２の記憶容量が多ければ、受信した全てのデータを記憶部（ＮＶＲＡＭ）７０２に記憶させることが良い。しかしながら、記憶部（ＮＶＲＡＭ）７０２の事業者専用領域２２２の容量は非常に少なく、例えば、６４×６４byte程度しかなく、受信した全てのデータを格納することは不可能である。
【０１６２】
そこで、記憶部（ＮＶＲＡＭ）７０２の事業者専用領域２２２には、視聴者の情報（出発駅、到着駅及び到着時間等）と視聴者が選んだ交通経路の順位とを記憶させ、チャンネル変更等により、記憶部７０３に格納されている時刻管理・表示プログラム等や入手した交通経路の情報が消去されてしまった場合であっても、チャンネルを元に戻して再び時刻管理・表示プログラムが記憶部７０３に格納されて動作が開始された時、記憶部（ＮＶＲＡＭ）７０２の事業者専用領域２２２に格納されている視聴者の情報（出発駅、到着駅及び到着時間等）により、再度交通経路の情報を入手し、記憶部（ＮＶＲＡＭ）７０２の事業者専用領域２２２に格納されている順位に対応する交通経路の情報を選択すれば、視聴者が選択した交通経路を選択することができる。
【０１６３】
何故なら、出発駅、到着駅及び到着時間等の情報が同じであれば、サーバ８００は、以前に送信したと同じ順位づけで複数の交通経路を送信してくるからである。
【０１６４】
入力部７０７は、例えば、リモコンや、受信機に設けられたボタン等である。
【０１６５】
次に、上述の構成における動作を説明する。
【０１６６】
図１９は実施例６の動作を示すフローチャートである。
【０１６７】
まず、視聴者は、本発明を実施している放送局のデータ放送を選局し（Ｓｔｅｐ  ５００）、デジタル放送受信部７０１により、制御プログラムを受信する（Ｓｔｅｐ  ５０１）。そして、この制御プログラムは、記憶部７０３に格納される（Ｓｔｅｐ  ５０２）。
【０１６８】
続いて、記憶部７０３に格納されている時刻管理・表示プログラムに従って動作する時刻管理・表示部７０４は、記憶部（ＮＶＲＡＭ）７０２の事業者専用領域２２２に視聴者のデータ（出発駅、到着駅及び到着時間等）が格納されているかを判断する（Ｓｔｅｐ  ５０３、Ｓｔｅｐ  ５０４）。
【０１６９】
データがない場合には、視聴者のデータ（出発駅、到着駅及び到着時間等）を入力する為、記憶部７０３のデータ入力プログラムに基づいて、入力制御部７０６は、データ入力の処理を開始してデータ入力画面を表示部７０５に表示させる（Ｓｔｅｐ  ５０５）。
【０１７０】
視聴者は、入力画面に従って、視聴者のデータ（出発駅、到着駅及び到着時間等）を入力する（Ｓｔｅｐ  ５０６）。そして、入力制御部７０６は、データ入力プログラムに基づいて、視聴者のデータ（出発駅、到着駅及び到着時間等）を、記憶部（ＮＶＲＡＭ）７０２の事業者専用領域２２２に格納する（Ｓｔｅｐ  ５０７）。
【０１７１】
ここで、データの入力例を、入力画面を参照して説明する。図２０はデータ入力画面の一例を示した図である。
【０１７２】
入力制御部７０６は、データ入力が選択されると、図２０に示すような、データ入力画面を表示部７０５に表示する。ここでは、乗車駅（出発駅）、下車駅（到着駅）及び希望の到着時刻を入力する画面例を示している。更に、視聴者の出発地、例えば自宅から乗車駅までの所要時間を入力することもできる。この所要時間を入力することにより、自宅から乗車駅までの所要時間を加味して出発時刻までの残存時間を計算する。
【０１７３】
最後に、データ入力して検索を選択することにより、乗車駅（出発駅）、下車駅（到着駅）及び希望の到着時刻、入力された場合には自宅から乗車駅までの所要時間が記憶部（ＮＶＲＡＭ）７０２の事業者専用領域２２２に格納される。
【０１７４】
次に、時刻管理・表示プログラムに従って動作する時刻管理・表示部２４は、記憶部（ＮＶＲＡＭ）７０２の事業者専用領域２２２に格納されている乗車駅（出発駅）、下車駅（到着駅）及び希望の到着時刻のデータを、送受信部７０８を介してサーバ８００に送信する（Ｓｔｅｐ  ５０８）。
【０１７５】
サーバ８００では、受信した乗車駅（出発駅）、下車駅（到着駅）及び希望の到着時刻のデータに対応する交通経路を検索し（Ｓｔｅｐ  ５０９）、対応する交通経路を受信機７００に送信する（Ｓｔｅｐ  ５１０）。尚、交通経路は複数ある場合が多いが、この場合には交通経路に順位をつけて送信する。また、交通経路には、出発駅の出発時間及び到着駅の到着時間が含まれているものとする。尚、これらの技術は、インターネット等で行われている交通経路探索と同じ技術のものである。
【０１７６】
受信機７００では、交通経路の情報を送受信部７０８により受信し（Ｓｔｅｐ  ５１１）、この交通経路の情報は記憶部７０３に格納される（Ｓｔｅｐ  ５１２）。
続いて、時刻管理・表示プログラムに従って動作する時刻管理・表示部２４は、複数の交通経路から視聴者によって選択された交通経路の順位に関するデータが記憶部（ＮＶＲＡＭ）７０２に格納されているかを判断する（Ｓｔｅｐ  ５１３）。
【０１７７】
交通経路の順位に関するデータが記憶部（ＮＶＲＡＭ）７０２に格納（記憶）されていない場合には、時刻管理・表示部２４は、記憶部７０３に格納された交通経路の情報に基づいて、表示部７０５に交通経路を、順位をつけて表示する（Ｓｔｅｐ  ５１４）。
【０１７８】
図２１は、経路１から経路１０までの交通経路の表示の一例である。但し、視聴者が見えるのは経路１のものである。このようにサーバ８００で順位付けられた交通経路をそのまま表示する。
【０１７９】
次に、視聴者は、複数順位の交通経路の中から希望する交通経路を選択し（Ｓｔｅｐ  ５１５）、選択された交通経路の順位を時刻管理・表示部２４は、記憶部（ＮＶＲＡＭ）７０２の事業者専用領域２２２に格納する（Ｓｔｅｐ  ５１６）。
【０１８０】
そして、視聴者によって選択された交通経路が表示される（Ｓｔｅｐ  ５１７）。尚、Ｓｔｅｐ  ５１３において、交通経路の順位に関するデータが記憶部（ＮＶＲＡＭ）７０２に格納（記憶）されている場合には、この順位の情報に対応する順位の交通経路の情報を、受信して記憶部７０３に格納されている複数の交通経路から選択し、この交通経路を表示する（Ｓｔｅｐ  ５１７）。
次に、時刻管理・表示プログラムに従って動作する時刻管理・表示部７０４は、ＴＯＴ(Time Offset Table)で示される現在時刻を取得し（Ｓｔｅｐ  ５１８）、この現在時刻と、記憶部（ＮＶＲＡＭ）７０２の事業者専用領域２２２に格納されている交通経路の順位で特定される交通経路の出発時刻との差を計算し、視聴者の出発時刻までの残存時間を計算する（Ｓｔｅｐ  ５１９）。尚、このとき、自宅から乗車駅までの所要時間が入力されている場合には、この所要時間を更に残存時間から減算し、この時間を残存時間とする。そして、この残存時間を表示部７０５に表示する（Ｓｔｅｐ  ５２０）。この一例を、図２２に示す。尚、残存時間によって表示色を変更したり、警告を発したりすることも可能である。また、残存時間がマイナスになった場合については、所定時間経過後、表示しないようにしたり、上述した実施例１と同様な処理を行っても良い。
【０１８１】
そして、Ｓｔｅｐ  ５１８からＳｔｅｐ  ５２０の処理を、サービスを提供しているチャンネルを視聴している間続ける。一方、チャンネルが変更されると（Ｓｔｅｐ  ５２１）、記憶部７０３に格納されている制御プログラムは消去されるので、時刻管理・表示部７０４による時間管理は中止され、残存時間も表示されなくなる。
尚、チャンネル変更以外でも、同一チャンネルであって他のサービスに遷移した場合、例えば、このサービスから同一チャンネルのデータ放送の天気やニュースに遷移した場合、画面表示は変わるが、この場合には制御プログラムは記憶部７０３から消去されないので、再びサービスに戻った場合にはＳｔｅｐ  ５０３からの処理を開始する。
【０１８２】
このような構成にすることにより、視聴者には利便性のある残存時間を表示するサービスを提供すると共に、チャンネルを変更することにより、残存時間の計算が中止されて表示されなくなるので、ザッピング防止も図れる。
【０１８３】
また、一旦チャンネルを変更しても、チャンネルを、サービスを提供している放送局に選局することにより、再び制御プログラムが記憶部７０３に格納されて時刻管理・表示部７０４が動作し、記憶部（ＮＶＲＡＭ）７０２に記憶されている情報に基づいて、再度交通経路の情報をサーバ８００から入手する。そして、記憶されている交通経路の順位（視聴者が選択した順位）により、入手した複数の交通経路の情報から対応する順位の交通経路の情報を選択することにより、視聴者が選択した交通経路の出発時刻までの残存時間を計算・表示することができるのである。
【図面の簡単な説明】
【０１８４】
【図１】図１は本発明の一実施例の構成を示す図である。
【０１８５】
【図２】図２はＮＶＲＡＭを説明する為の図である。
【０１８６】
【図３】図３は制御プログラムの一例を示す図である。
【０１８７】
【図４】図４は制御プログラムの一例を示す図である。
【０１８８】
【図５】図５は実施例１の動作フローチャートである。
【０１８９】
【図６】図６は入力画面の一例を示す図である。
【０１９０】
【図７】図７は入力画面の一例を示す図である。
【０１９１】
【図８】図８は入力画面の一例を示す図である。
【０１９２】
【図９】図９は残存時間の表示画面の一例を示す図である。
【０１９３】
【図１０】図１０は残存時間の表示画面の他の一例を示す図である。
【０１９４】
【図１１】図１１は実施例３の動作フローチャートである。
【０１９５】
【図１２】図１２は実施例４の構成の一例を示す図である。
【０１９６】
【図１３】図１３は実施例４の動作フローチャートである。
【０１９７】
【図１４】図１４は従来の技術を示す図である。
【０１９８】
【図１５】図１５は本発明の実施例５の一構成を示す図である。
【０１９９】
【図１６】図１６は本発明の実施例５の動作フローチャートである。
【０２００】
【図１７】図１７は表示画面の一例を示す図である。
【０２０１】
【図１８】図１８は本発明の実施例６の一構成を示す図である。
【０２０２】
【図１９】図１９は本発明の実施例６の動作フローチャートである。
【０２０３】
【図２０】図２０は入力画面の一例を示す図である。
【０２０４】
【図２１】図２１は交通経路の表示画面の一例を示す図である。
【０２０５】
【図２２】図２２は交通経路の表示画面の一例を示す図である。
【符号の説明】
【０２０６】
１      放送局
２      受信機
１１    記憶部
１２    データ放送部
１３    多重化部
２１    デジタル放送受信部
２２    第１の記憶部（ＮＶＲＡＭ）
２３    第２の記憶部
２４    時刻管理・表示部
２５    入力制御部
２６    入力部
【図１】
2005253040.tif 000003
【図２】
2005253040.tif 000004
【図３】
2005253040.tif 000005
【図４】
2005253040.tif 000006
【図５】
2005253040.tif 000007
【図６】
2005253040.tif 000008
【図７】
2005253040.tif 000009
【図８】
2005253040.tif 000010
【図９】
2005253040.tif 000011
【図１０】
2005253040.tif 000012
【図１１】
2005253040.tif 000013
【図１２】
2005253040.tif 000014
【図１３】
2005253040.tif 000015
【図１４】
2005253040.tif 000016
【図１５】
2005253040.tif 000017
【図１６】
2005253040.tif 000018
【図１７】
2005253040.tif 000019
【図１８】
2005253040.tif 000020
【図１９】
2005253040.tif 000021
【図２０】
2005253040.tif 000022
【図２１】
2005253040.tif 000023
【図２２】
2005253040.tif 000024